(57)【要約】【課題】排水能力が十分高く、また、排水管の施工のばらつきを吸収し、竪樋と排水管を確実に接続することができ、しかも排水管上端部周辺の掃除の作業性を改善することのできる排水管カバーを提供すること。【解決手段】内径が竪樋の外寸より大きく、外径が排水管の内径より小さい直管状の本体２と、本体から別体とされ、本体の外面に沿ってスライド可能な袴部３とを備え、袴部が、本体の外面に摺接する摺接部４と、本体の外径より口径が拡大された膨出部５とを備えている。【選択図】図１
2007120056.tif 000002
【特許請求の範囲】
【請求項１】
内径が竪樋の外寸より大きく、外径が排水管の内径より小さい直管状の本体と、本体から別体とされ、本体の外面に沿ってスライド可能な袴部とを備えた排水管カバーであって、袴部が、本体の外面に摺接する摺接部と、本体の外径より口径が拡大された膨出部とを備えていることを特徴とする排水管カバー。
【請求項２】
本体の外面に凹部が異なる高さで複数設けられ、袴部の摺接部の内面に内側に突出し、前記凹部に嵌合可能な弾性を有する突起が設けられている請求項１記載の排水管カバー。
【請求項３】
本体の外面に弾性を有する突起が異なる高さで複数設けられ、袴部の摺接部の内面に凹部が設けられ、凹部は前記突起と嵌合可能である請求項１記載の排水管カバー。
【発明の詳細な説明】
【技術分野】
【０００１】
本願発明は、壁面や柱等に取り付けられる雨水を排水する竪樋を地中に埋設された排水管に接続する排水管カバーに関する。
【背景技術】
【０００２】
竪樋と地中に埋設された排水管を接続し、雨水の排水を行う排水管カバーが知られている。この排水管カバーとして、竪樋挿入部と、竪樋挿入部から延設された継手部と、継手部を囲繞するように設けられたカバー部とが一体成形されたものが知られている（特許文献１）。
【特許文献１】特開２００５−１１３４４８号公報
【発明の開示】
【発明が解決しようとする課題】
【０００３】
しかしながら、特許文献１に記載された排水管カバーでは、通常、継手部は、長さが短く、また、排水管に挿入しやすいように口径が絞られており、排水能力が必ずしも十分となっていない。また、排水管の施工高さ等は現場によってばらつきがあるのが普通であるが、このばらつきをうまく吸収して竪樋と排水管を接続するのが難しい。さらに、排水管の上端部周辺に溜まるゴミを除去する際、排水管カバーを持ち上げて移動させる必要があるが、排水管カバーは竪樋の伸縮吸収分の長さしか上がらないため、掃除の作業性に難点がある。
【０００４】
本願発明は、このような事情に鑑みてなされたものであり、排水能力が十分高く、また、排水管の施工のばらつきを吸収し、竪樋と排水管を確実に接続することができ、しかも排水管上端部周辺の掃除の作業性を改善することのできる排水管カバーを提供することを課題としている。
【課題を解決するための手段】
【０００５】
本願発明は、上記の課題を解決するために、第１に、内径が竪樋の外寸より大きく、外径が排水管の内径より小さい直管状の本体と、本体から別体とされ、本体の外面に沿ってスライド可能な袴部とを備えた排水管カバーであって、袴部が、本体の外面に摺接する摺接部と、本体の外径より口径が拡大された膨出部とを備えていることを特徴としている。
【０００６】
本願発明は、第２に、本体の外面に凹部が異なる高さで複数設けられ、袴部の摺接部の内面に内側に突出し、前記凹部に嵌合可能な弾性を有する突起が設けられていることを特徴としている。
【０００７】
本願発明は、第３に、本体の外面に弾性を有する突起が異なる高さで複数設けられ、袴部の摺接部の内面に凹部が設けられ、凹部は前記突起と嵌合可能であることを特徴としている。
【発明の効果】
【０００８】
本願の第１の発明によれば、本体は直管状であるため、口径を絞った従来の排水管カバーに比べ、排水能力が十分高い。また、排水管上端部周辺の掃除の際には、本体を任意の高さまで持ち上げることができ、掃除の作業性が向上する。さらに、袴部は本体から別体とされ、本体の外面に沿ってスライド可能であるため、排水管の施工高さ等にばらつきが生じても、袴部は本体に対して取付け高さを変えることができ、竪樋と排水管を確実に接続することができる。
【０００９】
本願の第２および第３の発明によれば、袴部は本体に対して段階的に高さを変えることができるとともに、所望の位置に十分な強度で固定することができる。
【発明を実施するための最良の形態】
【００１０】
図１は、本願発明の排水管カバーの一実施形態を示した切欠正面図である。
【００１１】
排水管カバー１は、本体２と袴部３を備えている。
【００１２】
本体２は、内径Ｒ１が竪樋の外寸より大きく、外径Ｒ２が排水管の内径より小さい直管状の部材である。上記の通りの内径Ｒ１および外径Ｒ２を有するため、直管状であっても、本体２は、内部に竪樋をスムーズに挿入することができるとともに、排水管の内部にスムーズに挿入することができる。また、直管状であるため、本体２の排水能力は十分高い。しかも、排水管の上端部周辺を掃除する際には、本体２は、任意の高さまで持ち上げることができ、掃除に必要な作業スペースを十分大きく取ることができ、掃除の作業性が良好となる。
【００１３】
袴部３は、本体２から別体とされ、本体２の外面に沿ってのスライドが可能とされている。袴部３は、本体２の外面に摺接する摺接部４と、本体２の外径Ｒ２より口径Ｒ３が拡大された膨出部５とを備えている。摺接部４は膨出部５の上端部に配置され、両者は一体化されている。
【００１４】
本体２から別体とされた袴部３は、摺接部４において本体２の外面に摺接して上下にスライドすることができ、本体２に対して高さ位置を任意に変えることができる。したがって、排水管の施工高さ等が現場によってばらついたとしても、袴部３を排水管の施工に応じて所望の位置に配置することができ、取付け高さを調整することができる。竪樋と排水管を確実に接続することができる。
【００１５】
袴部３の取付け高さの変更はたとえば段階的に行うことができる。この場合、図２に示したように、本体２の外面に凹部６を異なる高さで複数設け、袴部３の摺接部４の内面に内側に突出する突起７を設けることができる。突起７は、弾性を有し、凹部６以外の本体２の外面に接触する時は外側に押し縮められ、凹部６と一致する時、内側に突出し、凹部６に嵌合する。
【００１６】
このような凹部６および突起７を設けることにより、袴部３の取付け高さを段階的に変えることができ、しかも取付け位置において突起７が凹部６に嵌合するため、袴部３を本体２にしっかりと固定することができる。固定強度は十分に高い。また、突起７の凹部６への嵌合は触角や聴覚によって知ることができ、固定状態を容易に確認することができる。袴部３の取付け作業の作業性が良好となる。
【００１７】
また、図３に示したように、突起７は本体２の外面に設けることもでき、この場合、凹部６は袴部３の摺接部４の内面に設けることができる。突起７は、凹部６以外の袴部３の摺接部４の内面に接触する時、内側に押し縮められ、凹部６に一致すると、外側に突出し、凹部６に嵌合する。
【００１８】
以上の凹部６および突起７は、本体２の外周面、袴部３の内周面に設けても、本体２の外面、袴部３の摺接部４の内面に部分的に設けてもよい。
【００１９】
そして、排水管カバー１は、本体２、袴部３ともに、たとえばポリ塩化ビニル、ポリプロピレン等の樹脂から形成することができる。
【図面の簡単な説明】
【００２０】
【図１】本願発明の排水管カバーの一実施形態を示した切欠正面図である。
【図２】本願発明の排水管カバーの別の実施形態を示した要部切欠正面図である。
【図３】本願発明の排水管カバーの別の実施形態を示した要部切欠正面図である。
【符号の説明】
【００２１】
１    排水管カバー
２    本体
３    袴部
４    摺接部
５    膨出部
６    凹部
７    突起
【図１】
2007120056.tif 000003
【図２】
2007120056.tif 000004
【図３】
2007120056.tif 000005